(57)【要約】【課題】  外部からは連結用容器の中身が認識できないようにするとともに、景品やおまけに蓋をしながらも、蓋を簡単に取り付けたり、取り外したりすることができる。【解決手段】  上方に飲み口が設けられた飲料用容器２の底部側に、景品やおまけ５が入れられる連結用容器３が着脱自在に連結されるとともに、この連結用容器３の中身の景品やおまけ５を確認できないようにする着色が施されていることを特徴とする。【選択図】  図４
2010006465.tif 000002
【特許請求の範囲】
【請求項１】
上方に飲み口が設けられた飲料用容器の底部側に、景品やおまけが入れられる連結用容器が着脱自在に連結されるとともに、この連結用容器の中身の景品やおまけを確認できないようにする着色が施されていることを特徴とする景品付き飲料容器。
【請求項２】
前記飲料用容器が透明であり、この透明な飲料用容器と前記連結用容器との連結箇所に包装フィルムが外周に巻かれているか、又は、透明な飲料用容器の前記連結用容器側に包装フィルムが外周に巻かれていることを特徴とする請求項１記載の景品付き飲料容器。
【請求項３】
前記連結用容器に景品やおまけを確認できないようにする着色が施された蓋体が取り付けられていることを特徴とする請求項１記載の景品付き飲料容器。
【請求項４】
前記飲料用容器の底部外周に凹凸部が形成され、前記連結用容器の上部外周に対応する凸凹部が形成され、これら凹凸部と凸凹部が重ね合わされることを特徴とする請求項１記載の景品付き飲料容器。
【請求項５】
前記連結用容器の凸凹部の凹部に、連結用容器の中身の景品やおまけを確認できないようにする着色が施された蓋体がはめ込まれることを特徴とする請求項１記載の景品付き飲料容器。
【請求項６】
自動販売機で販売される前記飲料用容器に連結用容器を取り付けた状態が５００ｍｌサイズのペットボトルであることを特徴とする請求項１ないし５のいずれか１項記載の景品付き飲料容器。
【発明の詳細な説明】
【技術分野】
【０００１】
この発明は、ペットボトルなどの飲料用容器に関し、特に景品やおまけを付属させて自動販売機で販売するときに好適な景品付き飲料容器に関する。
【背景技術】
【０００２】
近年、水、茶、清涼飲料等の飲料用容器が種々販売され、この飲料容器に景品・おまけ等を取り付けたものも多くなっている。飲料容器に景品やおまけを取り付ける場合、上方に飲み口がある場合は、そのネック部に巻き付けるようにしたり、飲料用容器の外周にテープ等で貼着させたりする。
【０００３】
しかし、ネック部に景品やおまけを取り付けると、自動販売機で販売する場合、販売機内部に引っかかるおそれを有する。このため、自動販売機で販売しても支障がないようにするために、特許文献１に示すように、頂部に飲み口を備えた飲料容器であって、該容器の底部に収納ケースを取り付けたケース付き飲料用容器が開示されている。
【特許文献１】特開２００６−５１９５３号公報
【発明の開示】
【発明が解決しようとする課題】
【０００４】
しかしながら、上記特許文献１では、いわゆるお楽しみ袋や福袋のような中身を取り出すまでは購買者に知られないようにすることができず、包装を厳重にしたとしても、中身が分かってしまう問題を有する。景品やおまけの場合には、おもちゃのシリーズものやキャラクターの種類がいくつかあり、これらの全てを集めることを楽しみにしたり、販売戦略上もすべてが揃うまで購買力が生じる効果がある。
【０００５】
また、景品やおまけを飲料用容器に取り付けようとする業者は、飲料用容器のメーカーだけではなく、メーカーから購入した業者がその業者の景品やおまけを入れることがあり、このような場合に連結用容器に蓋をして景品やおまけを入れたいと言う要望がある。しかし、上記特許文献１では、このような蓋はなく、しかも蓋はしっかりとされる必要があるが、景品やおまけの取り出しに際しては取り出し易く、ときには開封状態が分かるものが望まれる。
【０００６】
そこで本発明の目的は、飲料用容器の底に連結用容器を取り付けるが、外部からは連結用容器の中身が認識できないようにするとともに、景品やおまけに蓋をしながらも、蓋を簡単に取り付けたり、取り外したりすることができる景品付き飲料容器を提供することにある。
【課題を解決するための手段】
【０００７】
本発明の景品付き飲料容器は、上方に飲み口が設けられた飲料用容器の底部に、景品やおまけが入れられる連結用容器が着脱自在に連結されるとともに、この連結用容器が中身を確認できないようにする着色が施されていることを特徴とする。
【０００８】
本発明によれば、連結用容器が透明でなく中身を確認できない着色が施されていることから、収納される景品やおまけが連結用容器を開けるまでは認識されることはない。
【０００９】
本発明としては、前記飲料用容器が透明であり、この透明な飲料用容器と前記連結用容器との連結箇所に包装フィルムが外周に巻かれているか、又は、透明な飲料用容器の前記連結用容器側に包装フィルムが外周に巻かれていることが好ましい。
【００１０】
本発明によれば、前記飲料用容器が透明であるとき、前記連結用容器を着色しただけでは、飲料用容器の底部が透明であることから、この部分から中身が認識されるおそれがある。そこで、透明な飲料用容器と前記連結用容器との少なくとも連結箇所に包装フィルムが外周に巻かれていることにより、この包装フィルムが邪魔になって中身を認識することができなくなる。なお、飲料用容器が透明（半透明を含む。）であることは、水や茶を入れる場合には、その清涼感を出すためには不可欠になる場合がある。
【００１１】
本発明としては、前記連結用容器に着色が施された蓋体が取り付けられていることが好ましい。前記飲料用容器が透明であるとき、前記連結用容器を着色しただけでは、飲料用容器の底部が透明であることから、この部分から中身を認識されるおそれがある。そこで、透明な飲料用容器と前記連結用容器との少なくとも連結箇所に包装フィルムが外周に巻かれていることにより、この包装フィルムが邪魔になって中身を認識することができなくなる。
【００１２】
本発明としては、前記飲料用容器の底部外周に凹凸部が形成され、前記連結用容器の上部外周に対応する凸凹部が形成され、これら凹凸部と凸凹部が重ね合わされることを特徴とする。本発明によれば、凹凸部と凸凹部が重ね合わされることで、着脱が正確かつ容易なものとなる。
【００１３】
本発明としては、前記連結用容器の凸凹部の凹部に前記蓋体の外周がはめ込まれることが好ましい。本発明によれば、前記着色された蓋体を前記連結用容器の凸凹部の凹部にはめ込むことで、容易に蓋ができるとともに、蓋体が連結用容器から容易に外れるようなことがなくなる。
【発明の効果】
【００１４】
本発明によれば、連結用容器が透明でなく中身を確認できない着色が施されていることから、収納される景品やおまけが連結用容器を開けるまでは認識されることはない。したがって、飲料用容器の購買者は、連結用容器を飲料用容器から外して、景品やおまけを連結用容器から取り出すまでは、その景品やおまけを実際に認識できず、いわゆるお楽しみ袋や福袋のような感覚で当該飲料用容器を購買することが可能になり、景品やおまけを入れる業者にとっても販売促進効果が期待できるようになる。
【発明を実施するための最良の形態】
【００１５】
以下、本発明を実施するための最良の形態を図に基づき説明する。
（第１の実施の形態）
図１は、本実施の形態の景品付き飲料容器の連結用容器３の斜視図であり、図２は側面図であり、図３は分解状態の側面図である。図４は、飲料容器（本体）２と連結用容器３と連結させる状態の側面図であり、図５は、連結した状態の側面図である。本実施の形態の景品付き飲料容器１は、円筒状の飲料容器２と、その底部に取り付けられる円筒状の連結用容器３と、連結用容器に蓋をする蓋体４とからなる。飲料用容器２の上方に飲み口２ａが設けられ、キャップがその開封を確認できるように、いわゆるシールキャップされている。図１０に示す景品やおまけ５は、その一例であり、漫画のキャラクターの種類を連結用容器３に一つずつ入れられるものとして説明する。
【００１６】
飲料容器２は、水や茶等が入れられたペットボトル（ポリエチレンテレフタレート樹脂製）であり、上方には飲み口が設けられ、下方は底になっている。ここでは、３３０ｍｌサイズのペットボトルであり、後述する連結用容器と合わせると５００ｍｌサイズになる。連結用容器３は、景品やおまけ５が入れられるものであり、水や茶等が入れられるものではないが、１７０ｍｌサイズである。すなわち、景品やおまけ５が入れられたときの総重量は５００ｍｌを超えないようになっている。
【００１７】
飲料容器２は、透明なペットボトルであるが、連結用容器３は中身の景品やおまけ５を確認できないようにする着色が施されている。すなわち、連結用容器３は、着色が施されたＰＥＴである。
【００１８】
前記飲料用容器２の底部外周全域に凹凸部６が形成されている。本実施の形態の凹凸部６は、凹部６ｂとその下の凸部６ａとを有している。他方、これに対応して、前記連結用容器３の上部外周全域に凸凹部９が設けられ、この凸凹部９は、中央の凸部９ｂとその上下の凹部９ａが形成されている。そして、これらの凹凸部６と凸凹部９が重ね合わされることにより、５００ｍｌサイズの大きさのペットボトルとなる。
【００１９】
前記連結用容器３には、蓋体４を備え、ＰＥＴ材質で有り、景品やおまけ５を確認できないようにする着色が施されている。蓋体４は、薄板の円形であり、連結用容器３の凸凹部９ａ，９ｂの上方の凹部９ｂに蓋体４の外周がはめ込まれる。蓋体４には、着色がほどこされ、連結用容器３に蓋体４をはめ合わせると、景品やおまけ５を外部からは確認できないようになる。また、蓋体４は、凹部９ｂにはめ込まれることで、蓋体４に飲料用容器２の重量がかかってもこれを支持する。連結用容器３には、空気穴がいくつか設けられている。蓋体４には、その取り外しを容易にするための爪４ａが設けられている。爪４ａは、蓋体４に形成された溝や切り欠きにより容易に蓋体４から引き上げられるようになっている。なお、連結用容器３と蓋体４は、上記キャップのように、その開封が分かるようにするためのシールキャップのような開封が容易な構造にすることも可能である。
【００２０】
したがって、本実施の形態の景品付き飲料容器１を使用する場合、連結用容器３に景品やおまけ５を入れて、連結用容器３に蓋体４をはめ合わせると（図４）、景品やおまけ５を外部からは確認できないようになる。蓋体は、連結用容器３の凸凹部９の中央の凸部９ｂの内側に入り込むようにして装着させる。飲料用容器２の底部外周全域に凹凸部６が設けられ、連結用容器３の外周全域に凸凹部９が設けられているので、飲料用容器２と連結用容器３を上下に重ね合わせる場合のみならず、両者を回しながら重ね合わせることも可能である。飲料用容器２の凹凸部６と連結用容器９の凸凹部９ａ，９ｂを重ね合わせると、本実施の形態の景品付き飲料容器１は、５００ｍｌサイズとなり、外観上は通常の５００ｍｌサイズのペットボトルと何ら変らないものとなる（図５）。
これをそのままの状態で販売しても良いが、自動販売機で販売すると良い。自動販売機で販売しても通常の５００ｍｌサイズのペットボトルと何ら変らないものであるから（大きさも重量も同じであることから）、故障等の原因となるようなことはなく、中身が確認できないので、いわゆるお楽しみ袋や福袋のような感覚で当該飲料用容器１を購買することが可能になり、景品やおまけ５を入れる業者にとっても販売促進効果が期待できるようになる。なお、５００ｍｌサイズのペットボトルでは飲み残すことが多くあるが、水や茶は３３０ｍｌであるから、飲み残しを少なくして楽しみが増えることとなる
【００２１】
ここで、本実施の形態の他の例としては、図８と図９に示すように、前記連結用容器３に蓋体のないものでも良い。図８と図９に示す例では、前記連結用容器３の凸凹部９の凹部９ａは１個のみの構造である。連結用容器３の材質は、ＰＥＴ以外の材質、例えばアルミ等でも良いが、本実施の形態では、飲料用容器２との統一感を出すために同じＰＥＴ材質としている。自動販売機が誤作動しないようにするためにも同じＰＥＴ材質としている。
【００２２】
（第２の実施の形態）
図６と図７は、本実施の形態の景品付き飲料容器の側面図であり、図６は、連結用容器３を連結する前の状態を示し、図７は、景品やおまけ５が入れられた状態で連結用容器を連結した状態の側面図である。本実施の形態の景品付き飲料容器１１は、前記飲料用容器２が透明であり、この透明な飲料用容器２と前記連結用容器３との連結箇所に包装フィルムＦが外周に巻かれている。このため、飲料容器２と連結用容器３には、包装フィルムＦを巻き付け易くするための凹部８が連続するように形成されている。包装フィルムＦには、縦方向のミシン目ｍ１と、横方向のミシン目ｍ２が入っている。横方向のミシン目ｍ２は、凸凹部９の凹部９ａ，９ａ（外周溝）の位置に沿うように設けることがねじるように剥離する観点から好ましい。なお、本実施の形態の連結用容器３には、上記蓋体４を使用しないものとして説明するが、蓋体４があっても良いものである。
【００２３】
したがって、連結用容器３から景品やおまけ５を取り出すに際しては、外部の包装フィルムＦを外す。ミシン目ｍ２は横方向にも形成されているので、飲料用容器２と連結用容器３とを左右の手で持ち、両方の手で捻るようにすると、包装フィルムＦがミシン目ｍ２に沿って切り取られる都とともに、凹凸部６と凸凹部９の重ね合わせ箇所が外れて、連結用容器３を飲料用容器２から外すことができる。
【００２４】
ここで、包装フィルムＦは、飲料用容器２の底部側から連結用容器３内の中身が認識されることを防止するためのものであり、上記蓋体４が使用される場合には使用しなくともよく、また、蓋体４がなくとも飲料用容器２の底から中身５が認識できない場合には使用しなくとも良い。また、飲料用容器２の底部側、つまり連結用容器３側に凹部８を設けて、包装フィルム６を貼着させても、連結用容器３内の中身が認識できないようになる。ただし、本実施の形態の飲料容器１の説明書等が必要になる場合等があることから、そのために包装フィルムＦを使用しても良い。
【００２５】
（第３の実施の形態）
図１１は、本実施の形態の景品付き飲料容器の連結用容器３の斜視図であり、図１２は側面図であり、図１３は分解状態の側面図である。図１４は、飲料容器（本体）２と連結用容器３と連結させる状態の側面図であり、図１５は、連結した状態の側面図である。本実施の形態の景品付き飲料容器２１は、直方体形状の飲料容器２と、その底部に取り付けられる直方体形状の連結用容器３と、連結用容器３に蓋をする蓋体１４とからなる。連結用容器１３の４周側面のほぼ中央には、内側に突出するように凸部Ｒａ１，Ｒａ２が各々上下に設けられ、これに対応する凹部Ｒｂが飲料容器２に設けられている。すなわち、凸部Ｒａ１と凹部Ｒｂがはめ合わせられる。なお、第１の実施の形態のように外周全域に凹凸部（凸凹部）が設けられるのではない。したがって、図１４と図１５に示すように、上下から飲料容器２と連結用容器３とを重ね合わせると、５００ｍｌサイズとなり、外観上は通常の５００ｍｌサイズのペットボトルと何ら変らないものとなる。
【００２６】
以上、本実施の形態では、円筒状のペットボトルを例に説明したが、角形のペットボトル等であっても良く、その形状は問わないものである。また、ペットボトルを例に説明したが、アルミニウム製やスチール製等でも良く、その材質は問わないものである。
【図面の簡単な説明】
【００２７】
【図１】本発明の第１の実施の形態の景品付き飲料容器の連結用容器を示す斜視図である。
【図２】上記第１の実施の形態の連結用容器の側面図である。
【図３】上記第１の実施の形態の連結用容器の蓋体の取り付け状態を説明する側面図である。
【図４】上記第１の実施の形態の飲料用容器と連結用容器との連結状態を説明する側面図である。
【図５】上記第１の実施の形態の飲料用容器と連結用容器とを連結した状態を説明する側面図である。
【図６】本発明の第２の実施の形態の景品付き飲料容器と包装フィルムを示す側面図である。
【図７】上記第２の実施の形態の景品付き飲料容器に包装フィルムを施した状態を示す側面図である。
【図８】上記第１の実施の形態の他の例を示す側面図である。
【図９】上記第１の実施の形態の他の例の連結状態を示す側面図である。
【図１０】上記連結用容器に入れられる景品やおまけの例を説明する図である。
【図１１】本発明の第２の実施の形態の景品付き飲料容器の連結用容器を示す斜視図である。
【図１２】上記第２の実施の形態の連結用容器の側面図である。
【図１３】上記第２の実施の形態の連結用容器の蓋体の取り付け状態を説明する側面図である。
【図１４】上記第２の実施の形態の飲料用容器と連結用容器との連結状態を説明する側面図である。
【図１５】上記第２の実施の形態の飲料用容器と連結用容器とを連結した状態を説明する側面図である。
【符号の説明】
【００２８】
１，１１，２１    景品付き飲料容器、
２                飲料容器、
３                連結用容器、
４                蓋体、４ａ  爪、
５                景品やおまけ、
６                凹凸部、６ａ  凹部、６ｂ  凸部
８                凹部、
９                凸凹部、９ａ  凹部、９ｂ  凸部、
Ｆ                包装フィルム、ｍ１，ｍ２  ミシン目、
【図１】
2010006465.tif 000003
【図２】
2010006465.tif 000004
【図３】
2010006465.tif 000005
【図４】
2010006465.tif 000006
【図５】
2010006465.tif 000007
【図６】
2010006465.tif 000008
【図７】
2010006465.tif 000009
【図８】
2010006465.tif 000010
【図９】
2010006465.tif 000011
【図１０】
2010006465.tif 000012
【図１１】
2010006465.tif 000013
【図１２】
2010006465.tif 000014
【図１３】
2010006465.tif 000015
【図１４】
2010006465.tif 000016
【図１５】
2010006465.tif 000017